(57)【要約】      （修正有）【課題】動物にとって嫌な臭気を軽減でき、絶滅危惧種動物保護、畑を荒らす猪（害獣）の駆除、ストレスの少ない食肉の調達等を実現できる動物捕獲装置を提供する。【解決手段】餌場区域Ａと、壁に設けた穴を介し餌場区域Ａから容易に遠ざけるための適切な道程に設定した一方通行の強制通路Ｂと、捕獲区域との３つのブロックを連結した構造である。また、捕獲した猪の体重が加算した結果、遮断している扉５が、バランスの作用で、再度人手を必要とせず、猪の体重が動力源で自動的にハネ上がり、ロックピン１０でロックされる構造である。【選択図】図２
2017175924.tif 000002
【特許請求の範囲】
【請求項１】
１〜動物捕獲装置は、Ａ〜餌場区域、該Ａ餌場区域の２〜壁面に設けた４〜壁面の穴か
ら繋がるＢ〜一方通行に強制された通路、及びＣ〜捕獲区域の、該Ａ・Ｂ・Ｃ・それぞれ
の機能を持った３つのブロックを連結した事を特徴とする、動物捕獲装置。
【請求項２】
Ａ〜餌場区域の５〜扉の遮断により拘束された３〜動物が、Ｂ〜一方通行の通路に逃げ
込むと、通路に設けた５〜扉より軽い６〜踏み台を必然的に踏み通過する事で、動物の体
重が加わり動力源となって、５〜扉と６〜踏み台の重量バランスが逆転稼働して、７〜ワ
イヤーＦで結ばれた５〜扉が８〜滑車Ｆを介し連動して吊り上がり、１０〜ロックピンで
ロックされ、自動的に捕獲態勢が回復する機能を備えた事を特徴とする、請求項１に記載
の１〜動物捕獲装置。
【請求項３】
拘束された３〜動物の発する臭気が、Ａ〜餌場区域周辺から薄れる適切な距離（長さ）
に設定されたＢ〜通路を３〜動物が通過して、Ｃ〜捕獲区域に誘動する一方通行通路（強
制）を特徴とする、請求項１に記載の動物捕獲装置。
【発明の詳細な説明】
【技術分野】
【０００１】
動物捕獲装置に関する。
【背景技術】
【０００２】
従来より、田畑等に被害をもたらす動物を、種々の罠や薬物等を用いて、捕獲・駆除や
音響等で追い払い又、柵で囲み近づけない方法がなされている。
【先行技術文献】
【特許文献】
【０００３】
【特許文献１】特開２０１０−２６８６９９
【特許文献２】特開２０１４−１２８２０４
【非特許文献】
【０００４】
檻の一部壁に、遮断扉を設けた様々な罠や電撃等が使用されている。
【発明の概要】
【発明が解決しようとする課題】
【０００５】
上記、特許文献、非特許文献の捕獲用箱罠・動物捕獲器の何れも図１に示す様に、一捕
獲装置本体ブロック内に動物を捕獲した後、発見処理迄の経過時間内に、死の恐怖や危機
から脱出しようと大暴れの結果、苦痛・怪我等から動物の発する臭気や目に見えない物が
装置やその周辺に危険信号として付着残留し結果、次に出現した動物、例えば猿・猪等
（以下動物又は猪と言う）は命の危機を察知して容易に近寄らない課題がある。
【０００６】
更に近寄らない一因に、初回の急激な（扉の遮断音のアクション等の結果）拘束で命の
危機を即感じ、人が発見するまでの間に、死物狂いで脱出しようと大慌しての末、怪我等
による出血、排泄物等を含む、目に見えない苦痛から発する匂い（以下匂い又は臭気と言
う）の痕跡を、捕獲装器及びその周辺に長期、残留付着させる課題がある。
【０００７】
尚仮に複数匹のグループで猪が捕獲装置周辺に出現し、その中の一匹が掛かった場合、
パニックを起こし、悲鳴等を発することで、他の猪は逃げながら危機感を学習し、再度近
寄り難くなる課題がある。
【０００８】
田畑を柵で囲み猪を近づけ無い方法では、当現場に近づけないだけで他の現場に被害を及ぼ
すのは必至で、根本的な解決には課題がある。
【課題を解決するための解決手段】
【０００９】
上記、課題の捕獲装置の扉が閉まり、拘束による猪の滞在する間の、（生命の危機から
脱しようとする）プレッシャーにより発する臭気等の付着を軽減するために、餌場区域か
ら（容易に）一刻も早く立ち去りやすい構造の構成手段を、以下図面の符号に基づき詳説
する。
【００１０】
拘束された３〜猪が、命に関わる苦脳から発する嫌な臭気等の痕跡を、１〜捕獲装置本
体周辺に（軽減）残さないために、該Ａ〜餌場区域の２〜壁面の一部に、３〜猪が容易に
脱出できる４〜穴から繋がる、強制的に臭気等から遠避けるための適切距離（長さ）のＢ
〜一方通行通路及び、最終的に到達するＣ〜捕獲地域のそれぞれ、該Ａ・Ｂ・Ｃの機能を
持った３つのブロックを連設する構成手段を講じた。
【００１１】
設置時Ａ〜餌場区域の５〜扉は開いていて（解放）、３〜猪が入ると１１〜仕掛けペダ
ルに触れ、７〜ワイヤーＤが８〜滑車Ｄを介して連動し１０〜ロックピンがはずれ、５〜
扉が閉まって（遮断）、次に拘束された３〜猪が壁に設けた４〜穴を容易に見つけ、Ｂ〜
通路に移動通過する適切な位置に６〜踏み台を設けているので、必須的に踏むことで３〜
猪の体重が６〜踏み台に加わり、７〜ワイヤーＦが８〜滑車Ｆを介して、閉まっていた５
〜扉は吊り揚げられて開き、１０〜ロックピンでロックされ、設置時の様に再度Ａ〜餌場
区域が解放され１〜捕獲装置の機能が回復する構造の手段を講じた。
【００１２】
上記のように、Ａ〜餌場区域の２〜壁面の一部に設けた、例えば５〜扉の重量１０ｋｇ
と、Ｂ〜一方通行通路に設けた６〜踏み台の重量８ｋｇと仮定して、６〜踏み台の方が２
０％程度軽いアンバランスな状態の該、５・６を７〜ワイヤー・紐等（以下ワイヤーと言
う）Ｆで連結し８〜滑車Ｆを介して、自動的に作動し、開く構造の手段を講じた。
【００１３】
Ａ〜餌場区域に拘束された３〜猪が次に、４〜壁の穴からＢ〜通路へ容易に逃げこみ適
切にＡ〜餌場区域から臭気の薄れるＢ〜通路の距離の通過し、最終Ｃ〜捕獲区域（適宣な
囲い柵・ネット等の空間）へ進むシステム構造で３〜猪の捕わってのプレッシャーを軽減、
課題のＡ〜餌場区域や周辺に付着する臭気を軽減する手段を講じた。
【発明の効果】
【００１４】
Ａ〜餌場区域に拘束された３〜猪は命の危機が迫ったと思いきや、４〜壁の穴を見つけ
容易に逃げ込みＢ〜通路を通過して進む結果、設定された距離に遠ざかり、課題の臭気の
付着も少なくＡ〜餌場区域から遠ざかる結果、次に出現する３〜猪は疑念なくＡ〜餌場区
域の餌に誘われるので、捕獲が向上する効果がある。
【００１５】
３〜猪はＡ〜餌場区域に拘束されても、脱出の為に大暴れする間もなく４〜壁の穴に気
づき、容易に逃げ込むので、該Ａ〜餌場区域の物的破損ダメージが少なく、従来の捕獲装
器に比較して資材の軽量・軽備化が可能で、容易な扱いで効率の良い捕獲装置を安価に提供
するものである。
【００１６】
本発明によると、絶滅危惧種動物保護・畑を荒らす３〜猪（害獣）の駆除・ストレスの
少ない食肉の調達等、そのいずれの目的にも、上述の様に３〜動物にとって嫌な臭気を軽
減されるので、捕獲率の向上効果がある。
【図面の簡単な説明】
【００１７】
【図１】動物捕獲装置本体全体、Ａ〜餌場区域・Ｂ〜一方通行通路・Ｃ〜捕獲区域を示          す側断面図。以下装置の艦駕篭全面の金網目を（省略）図示せず。
【図２】Ａ〜餌場区域の５〜扉が解放時に落下防止のための１０〜ロックピンと１１          〜仕掛けペダルから繋がる７〜ワイヤーＤが８〜滑車Ｄを介して作動する系図          を示す側断面図。
【図３】Ｂ〜一方通行通路内の６〜踏み台と、Ａ〜捕獲区域の５〜扉を解放のための          ７〜ワイヤーＦが８〜滑車Ｆを介して、５〜扉に繋がる系図を示す側断面図。
【図４】（１）Ａ〜餌場区域２〜側壁に設けた、１０〜扉の解放保持のためのロックピ               ンと、解放時の扉位置を示す正面から見た断面図。（２）拘束されたＡ〜餌場          区域から３〜猪が移動のための、裏壁面に設けた４〜壁面穴を示す裏面から見          た断面図。（３）５〜扉の解放保持と１０〜ロックピン関連部分を示す拡大          図。
【発明を実施するための形態】
【実施例】
【００１８】
本発明の、動物捕獲装置の構造と構成及び作用の一実施例を、図面の符号に基づき詳説
する。
【００１９】
図３に示す様に、例えば５〜扉の重量が１０ｋｇに対し６〜踏み台は８ｋｇとアンバラ
ンスな釣り合いの２者を、７〜ワイヤーＦで繋ぎ８〜滑車Ｆを介して吊るし、次に重量の
重い５〜扉を最初は人の手で持ち上げ図４の（３）の様にセットし、１０〜ロックピンでロッ
クしてＡ〜餌場区域の５〜扉の解放が保持され、３〜猪の捕獲機能を保った状態になる形
態に構成した。
【００２０】
次に、３〜猪がＡ〜餌場区域に入ると５〜扉を傘の開いた時の留め金の如く１０〜ロッ
クピンのバネの作用で止っていたものを、１１〜仕掛けペダルに３〜猪が触れることで７
〜ワイヤーＤが８〜滑車Ｄを介しての作動で１０〜ロックピンが外れ５〜扉が音も無く落
下、Ａ〜餌場区域は遮断される（戸当たりの衝撃音でのパニックを軽減するために、１５
〜戸当たりクッション材等での消音が肝要）、そして拘束された３〜猪は、閉じ込まれた
事の違和感を緩やかに察知し、逃げ路を求めＡ〜餌場区域壁に設けた４〜穴から続く、Ｂ
〜一方通行通路を通過して、Ｃ〜捕獲区域に移動しやすい形態に構成した。
【００２１】
上記Ｂ〜一方通行通路を３〜動物が通過の際６〜踏み台に体重が加わり該、６〜踏み台
の重量と５〜扉の重量バランスが逆転、７〜ワイヤＦが８〜滑車Ｆを介して、人手の必要
もなく５〜扉が持ち上がるような形態に構成した。
【００２２】
目的の動物捕獲には、大型・中型・小型及び体重・体型等に見合った適切な規模の大き
さや、仕掛けの感度を調整してセットする事が肝要である。
【符号の説明】
【００２３】
Ａ      餌場区域
Ｂ      一方通行通路（強制）
Ｃ      捕獲区域（柵・檻・ネット等の適宜な広さの捕獲区域空間）
１      捕獲裝置本本
２      Ａ〜餌場区域の一部壁
３      動物・猪等（図示せず）
４      Ａの壁面の穴
５      扉
６      （通路に設けた）踏み台
７      ワイヤーＤ・Ｆ
８      滑車Ｄ・Ｆ
９      各稼働部分のヒンジ
１０      （扉の解放保持）ロックピン
１１      （扉の落下に繋がる）仕掛けペダル
１２      １０〜ロックピンの押しバネ
１３      一方通過のみ可能な戻り止メ（扉部品）
１４      戸当たり（ストッパー）
１５      戸当たり (クッション)
【図１】
2017175924.tif 000003
【図２】
2017175924.tif 000004
【図３】
2017175924.tif 000005
【図４】
2017175924.tif 000006